(57)【要約】【課題】  削除条件付のコンテンツ情報を送信する前に、削除条件に同意した端末のみ当該コンテンツ情報を送信し、前記端末が当該コンテンツ情報を削除した場合に削除結果を送信し、送信側端末が当該コンテンツ情報を削除したか否かを確認できる情報通信装置を提供する。【解決手段】  本装置３がコンテンツ情報を他端末１へ送信する際に、当該コンテンツ情報の削除に係る削除条件を削除条件送受信部１０５から他端末１へ送信する。他端末１から送信される削除条件について同意、または非同意である旨の信号を応答送受信部１１２が受信し、同意応答信号を受信した場合、他端末１へ当該コンテンツ情報をコンテンツ情報送受信部１１１から送信する。また、他端末１から送信される当該コンテンツ情報を削除した旨の削除完了信号をコンテンツ削除情報送受信部１１１が受信し、当該コンテンツ情報が削除されたか否かを確認する。【選択図】    図１
2012249091.tif 000002
【特許請求の範囲】
【請求項１】
コンテンツ情報を所定の送信先へ送信する情報通信装置において、
コンテンツ情報を所定の送信先へ送信する際に当該コンテンツ情報の削除に係る削除条件を前記送信先へ送信する削除条件送信手段と、前記削除条件送信手段が送信した削除条件に対する応答を前記送信先から受信する応答受信手段と、を有し、
前記応答受信手段が前記削除条件に同意する旨の応答を受信した場合に、前記コンテンツ情報を当該送信先へ送信することを特徴とする削除条件付きコンテンツ情報通信装置。
【請求項２】
請求項１に記載の情報通信装置であって、
前記コンテンツ情報送信手段がコンテンツ情報を送信した送信先から当該コンテンツ情報を削除した旨の削除結果を受信する削除結果受信手段をさらに有することを特徴とする削除条件付きコンテンツ情報通信装置。
【請求項３】
受信したコンテンツ情報を記憶または表示する情報通信装置において、
コンテンツ情報を所定の送信元から受信する際に当該コンテンツ情報の削除に係る削除条件を前記送信元から受信する削除条件受信手段と、前記削除条件受信手段が受信した削除条件に係る情報を表示する削除条件表示手段と、前記削除条件に応じて前記コンテンツ情報を削除する旨の応答を前記送信元へ送信する応答送信手段と、前記コンテンツ情報を受信するコンテンツ情報受信手段と、前記受信したコンテンツ情報を記憶するコンテンツ情報記憶手段と、を有し、
前記応答送信手段が前記削除条件に応じて前記コンテンツ情報を削除する旨の応答を前記送信元へ送信し前記コンテンツ情報受信手段がコンテンツ情報を受信した場合に、現在の日時または自装置が存在している場所は前記削除条件が当該コンテンツ情報を削除することを要求している日時または場所と合致するか否かを判定し、現在の日時または自装置が存在している場所は前記削除条件が削除することを要求している日時または場所と合致すると判定した場合に、当該コンテンツ情報を前記コンテンツ情報記憶手段から自動的に削除することを特徴とする削除条件付きコンテンツ情報通信装置。
【請求項４】
請求項３に記載の情報通信装置であって、
前記受信したコンテンツ情報を前記削除条件に応じて削除した場合に、当該コンテンツ情報を削除した旨の削除結果を前記送信先へ送信する削除結果送信手段をさらに有することを特徴とする削除条件付きコンテンツ情報通信装置。
【発明の詳細な説明】
【技術分野】
【０００１】
本発明は、コンテンツ情報を自動的に削除することのできる情報通信装置に関する。
【背景技術】
【０００２】
文章や図面等のコンテンツ情報を通信する無線ＬＡＮシステムにおいて、通信されるコンテンツ情報に係るデータにエリア限定情報を付与することで、利用場所が制限された情報を管理する技術がある（例えば、特許文献１）。特許文献１の技術によると、予め認証された端末が限定エリア内に存在するならばデータを送信し、該端末が限定エリアの外に出るとデータを自動で消去することができる。
【先行技術文献】
【特許文献】
【０００３】
【特許文献１】特開２００５−１０１８２３号公報
【発明の概要】
【発明が解決しようとする課題】
【０００４】
しかしながら、特許文献１で開示されている技術では、限定エリア内で認証されている端末の全てにデータを送ってしまうという点と、送信側端末が送信したデータを受信側で削除したか否かを確認できないという点が不便であった。
【０００５】
そこで本発明の課題は、削除条件付のコンテンツ情報を送信する前に当該コンテンツ情報を後で削除することを要求して同意した端末のみ当該コンテンツ情報を送信し、さらに同意した端末が当該コンテンツ情報を削除した場合に削除結果を送信し、当該コンテンツ情報が削除された事を送信側端末が確認することのできる情報通信装置を提供することにある。
【課題を解決するための手段】
【０００６】
本発明の情報通信装置における第１の発明は、コンテンツ情報を所定の送信先へ送信する情報通信装置において、コンテンツ情報を所定の送信先へ送信する際に当該コンテンツ情報の削除に係る削除条件を前記送信先へ送信する削除条件送信手段と、前記削除条件送信手段が送信した削除条件に対する応答を前記送信先から受信する応答受信手段と、を有し、前記応答受信手段が前記削除条件に同意する旨の応答を受信した場合に、前記コンテンツ情報を当該送信先へ送信することを特徴とする。
【０００７】
次に、本発明の情報通信装置における第２の発明は、受信したコンテンツ情報を記憶または表示する情報通信装置において、コンテンツ情報を所定の送信元から受信する際に当該コンテンツ情報の削除に係る削除条件を前記送信元から受信する削除条件受信手段と、前記削除条件受信手段が受信した削除条件に係る情報を表示する削除条件表示手段と、前記削除条件に応じて前記コンテンツ情報を削除する旨の応答を前記送信元へ送信する応答送信手段と、前記コンテンツ情報を受信するコンテンツ情報受信手段と、前記受信したコンテンツ情報を記憶するコンテンツ情報記憶手段と、を有し、前記応答送信手段が前記削除条件に応じて前記コンテンツ情報を削除する旨の応答を前記送信元へ送信し前記コンテンツ情報受信手段がコンテンツ情報を受信した場合に、現在の日時または自装置が存在している場所は前記削除条件が当該コンテンツ情報を削除することを要求している日時または場所と合致するか否かを判定し、現在の日時または自装置が存在している場所は前記削除条件が削除することを要求している日時または場所と合致すると判定した場合に、当該コンテンツ情報を前記コンテンツ情報記憶手段から自動的に削除することを特徴とする。
【発明の効果】
【０００８】
発明によれば、送信側端末が削除条件を有するコンテンツ情報を送信する際に、当該コンテンツ情報を後で削除することを受信側端末に要求し、同意した端末へのみ当該コンテンツ情報を送信することができる。さらに、受信側端末が当該コンテンツ情報を削除した旨の削除結果を送信側端末に送信することで、当該コンテンツ情報が削除されたか否かを確認することができる。
【図面の簡単な説明】
【０００９】
【図１】本発明の情報通信装置を含む機能ブロック図である。
【図２】本発明の情報通信装置の動作のフローチャートである。
【発明を実施するための形態】
【００１０】
以下に、本発明の実施の形態について、図面を用いて説明する。
【実施例１】
【００１１】
図１は本発明の情報通信装置を含む機能ブロック図である。図１において、１は他端末、２はネットワーク、３は本発明の情報通信装置、１０１はＮＷ対応部、１０２はタイマ部、１０３は場所検知部、１０４は削除処理部、１０５は削除条件送受信部、１０６はコンテンツ情報送受信部、１０７は制御部、１０８は操作部、１０９は情報表示部、１１０はコンテンツ情報記憶部、１１１はコンテンツ削除情報送受信部、１１２は応答送受信部を示す。
【００１２】
ＮＷ対応部１０１は、ネットワーク２を介して他端末１と通信を行う。
【００１３】
削除条件送受信部１０５は、ＮＷ対応部１０１を介して他端末１からコンテンツ情報の削除条件を受信する。また、制御部１０７で記憶されているコンテンツ情報の削除条件をＮＷ対応部１０１を介して他端末１へ送信する。なお、本実施例における削除条件とは本装置３がコンテンツ情報を自動的に削除する為の条件であり、例えば、コンテンツ情報を受信してから１時間後に削除する、場所Ａから離れたら削除する、といったものである。削除条件は操作部１０８からの操作で任意に設定可能である。
【００１４】
応答送受信部１１２は本装置３が送信した削除条件に対する応答の送受信を行う。応答送受信部１１２が受信した応答から前記コンテンツ情報を送信するか否かを制御部１０７で判定する。
【００１５】
コンテンツ情報送受信部１０６は、他端末１とコンテンツ情報の送受信を行う。
【００１６】
コンテンツ削除情報送受信部１１１はコンテンツ情報の削除が完了した旨のコンテンツ情報削除完了信号を送受信する。
【００１７】
タイマ部１０２は、現在時刻を制御部１０７に送信する。また、タイマ部１０２は削除条件に含まれる削除要求時間のカウントを行う。
【００１８】
場所検知部１０３は、自端末の現在場所を検知し、削除処理部１０４に送信する。
【００１９】
削除処理部１０４は、例えば他端末１からコンテンツ情報を受信する場合に、受信したコンテンツ情報の削除条件に従い、現在時刻または自端末である情報通信装置３が現在存在する場所が削除条件と合致するかどうかを判断し、制御部１０７にコンテンツ情報削除の指示を行う。
【００２０】
コンテンツ情報記憶部１１０は、コンテンツ情報を受信した場合に受信したコンテンツ情報を記憶する。
【００２１】
情報表示部１０９は、他端末１からコンテンツ情報を受信する場合は、受信したコンテンツ情報や、受信したコンテンツ情報の削除条件を表示する。また、自端末である情報通信装置３がコンテンツ情報を送信する場合は、送信したコンテンツ情報や、他端末１に送信するコンテンツ情報の削除条件、他端末１からコンテンツ情報削除完了信号を受信した旨の表示をする。
【００２２】
操作部１０８は、本発明の情報通信装置の操作を行う。
【００２３】
制御部１０７は、本装置の制御を行う。
【００２４】
図２は、本発明の情報通信装置の動作のフローチャートである。図２において、情報通信装置３の電源が投入されることで本機能の動作を開始する（Ｓ２０１）。コンテンツ情報を送信する場合（Ｓ２０２，ＹＥＳ）、制御部１０７は削除条件送受信部１０５を起動し、例えば１時間後に必ず削除する、といった制御部１０７に記憶されている削除条件をＮＷ対応部１０１を介して他端末１に送信する（Ｓ２０３）。
【００２５】
本装置３が送信した削除条件に対する他端末１からの応答を応答送受信部１１２で受信した場合、応答送受信部１１２は前記受信した応答を制御部１０７に通知し、制御部１０７は前記受信した応答が削除条件に同意か否かの判定を行う（Ｓ２０４）。
【００２６】
削除条件に同意しない旨の不同意応答信号を受信した場合（Ｓ２０４，ＮＯ）、制御部１０７は情報表示部１０９を起動し、削除条件に相手が同意しなかった旨の表示を行い（Ｓ２０５）、コンテンツ情報を送信せずに待機状態に戻る。
【００２７】
削除条件に同意した旨の同意応答信号を受信した場合（Ｓ２０４，ＹＥＳ）、制御部１０７はコンテンツ情報送受信部１０６を起動して、コンテンツ情報記憶部１１０にある前記コンテンツ情報に制御部１０７に記憶されている削除条件を付与して、ＮＷ対応部１０１を介して削除条件に同意した他端末１に削除条件付のコンテンツ情報を送信する（Ｓ２０６）。
【００２８】
その後、制御部１０７は他端末１から前記送信したコンテンツ情報を削除した旨のコンテンツ情報削除完了信号を受信したかどうか判定をする（Ｓ２０７）。コンテンツ情報削除完了信号をコンテンツ削除情報送受信部１１１が受信した場合（Ｓ２０７，ＹＥＳ）、制御部１０７は情報表示部１０９を起動し、送信したコンテンツ情報が削除された旨の表示を行い、待機状態に戻る。
【００２９】
コンテンツ情報削除完了信号をコンテンツ削除情報送受信部１１１が受信しなかった場合（Ｓ２０７，ＮＯ）、制御部１０７は送信したコンテンツ情報の削除要求時刻に到達しているかどうかを判定する。（Ｓ２０８）
【００３０】
コンテンツ情報削除要求時刻に到達していない場合（Ｓ２０８，ＹＥＳ）、Ｓ２０７からＳ２０８までのフローを繰り返し、コンテンツ情報削除完了信号を受信するか、削除要求時刻に達するまで監視する。
【００３１】
コンテンツ情報削除要求時刻に到達した場合（Ｓ２０８，ＮＯ）、制御部１０７は情報表示部１０９を起動し、コンテンツ情報削除完了信号が受信されていないため、所定の宛先である他端末１がコンテンツ情報を削除しているか不明である旨の表示を行う（Ｓ２０９）。その後待機状態に戻る。
【００３２】
次に、本装置３がコンテンツ情報を受信する場合の動作について説明する。
【００３３】
本装置３が待機中に他端末１からの削除条件を削除条件送受信部１０５で受信した場合（Ｓ２１０，ＹＥＳ）、制御部１０７は情報表示部１０９を起動して前記受信した削除条件を表示する（Ｓ２１１）。次に操作部１０８で前記受信した削除条件に同意の操作が為されたか否かを判定する（Ｓ２１２）。削除条件に不同意の操作が為されたと判定した場合（Ｓ２１２，ＮＯ）、制御部１０７は応答送受信部１１２に削除条件に同意しない旨の不同意応答信号を送信させる（Ｓ２１３）。その後待機状態に戻る。
【００３４】
削除条件に同意の操作が為されたと判定した場合（Ｓ２１２，ＹＥＳ）、制御部１０７は応答送受信部１１２を起動し、削除条件に同意する旨の同意応答信号を送信させる（Ｓ２１４）。その後待機状態に戻る。
【００３５】
次に他端末１から送信される削除条件付のコンテンツ情報をコンテンツ情報送受信部１０６で受信し（Ｓ２１５，ＹＥＳ）、制御部１０７はコンテンツ情報記憶部１１０を起動し、前記受信したコンテンツ情報を記憶させる（Ｓ２１６）。次に制御部１０７は情報表示部１０９を起動して当該コンテンツ情報を表示させる（Ｓ２１７）。次に制御部１０７はコンテンツ情報送受信部１０６で受け取った前記コンテンツ情報に含まれる削除条件を抽出し、削除処理部１０４に削除条件を送信する（Ｓ２１８）。次に制御部１０７はタイマ部１０２を起動し、前記削除条件に含まれる削除要求時刻までのタイマーカウントを開始する（Ｓ２１９）。次に制御部１０７は削除処理部１０４を起動し、削除処理部１０４に場所検知部１０３を起動させて本装置３の現在存在する場所を確認する（Ｓ２２０）。削除処理部１０４は本装置３の存在する場所は削除条件で指定されたエリア内か否か判定を行う（Ｓ２２１）。
【００３６】
本装置３の存在する場所はコンテンツ情報表示可能エリア内でないと判定した場合（Ｓ２２１，ＮＯ）、制御部１０７は削除処理部１０４に通知を行い、削除処理部１０４はコンテンツ情報記憶部１１０に記憶されている当該コンテンツ情報を削除する（Ｓ２２３）。その後制御部１０７はコンテンツ削除情報送受信部１１１を起動し、当該コンテンツ情報の削除が完了した旨のコンテンツ情報削除完了信号をコンテンツ情報の送信元である所定の他端末１に送信させる（Ｓ２２５）。その後待機状態に戻る。
【００３７】
また、本装置３が存在する場所はコンテンツ情報表示可能エリア内であると判定した場合（Ｓ２２１，ＹＥＳ）、制御部１０７はタイマ部１０２でカウントした時間がコンテンツ情報の削除条件にある削除要求時刻を過ぎたか否か判定する（Ｓ２２２）。
【００３８】
タイマ部１０２でカウントした時間がコンテンツ情報の削除条件にある削除要求時刻を過ぎていた場合（Ｓ２２２，ＹＥＳ）、制御部１０７は削除処理部１０４に通知を行いコンテンツ情報記憶部１１０に記憶されている当該コンテンツを削除する（Ｓ２２３）。その後制御部１０７はコンテンツ削除情報送受信部１１１を起動し、当該コンテンツ情報の削除が完了した旨のコンテンツ情報削除完了信号をコンテンツ情報の送信元である所定の他端末１に送信させる（Ｓ２２５）。その後待機状態に戻る。
【００３９】
タイマ部１０２でカウントした時間がコンテンツ情報の削除条件にある削除要求時刻を過ぎていない場合（Ｓ２２２，ＮＯ）、制御部１０７は当該コンテンツ情報の削除操作が操作部１０８から為されたか否かを判定する（Ｓ２２４）。
【００４０】
操作部１０８が当該コンテンツ情報の削除操作を受け付けていた場合（Ｓ２２４，ＹＥＳ）、制御部１０７はコンテンツ削除情報送受信部１１１を起動し、当該コンテンツ情報の削除が完了した旨のコンテンツ情報削除完了信号をコンテンツ情報の送信元である所定の他端末１に送信させる（Ｓ２２５）。その後待機状態に戻る。
【００４１】
操作部１０８が当該コンテンツ情報の削除操作を受け付けていない場合（Ｓ２２４，ＮＯ）、Ｓ２２０からＳ２２４までのフローを繰り返し、当該コンテンツ情報を削除するまで監視する。
【符号の説明】
【００４２】
１      他端末
２      ネットワーク
３      本発明の情報通信装置
１０１  ＮＷ対応部
１０２  タイマ部
１０３  場所検知部
１０４  削除処理部
１０５  削除条件送受信部
１０６  コンテンツ情報送受信部
１０７  制御部
１０８  操作部
１０９  情報表示部
１１０  コンテンツ情報記憶部
１１１  コンテンツ削除情報送受信部
１１２  応答送受信部  
【図１】
2012249091.tif 000003
【図２】
2012249091.tif 000004